(57)【要約】  微生物により排泄物を分解して処理する簡易トイレを、本体１と、この本体１に取り付けられる便座４と、本体１内部に回転自在に取り付けられ開口部を介して微生物を担持した微生物保持体が投入され収容される回転タンク２１と、この回転タンク２１を回転駆動する駆動モータ２４と、回転タンク２１内に配置され本体１に固定された撹拌手段１６と、少なくとも回転タンク２１内の水分の重量を計測する重量計測手段２９と、駆動モータ２４を制御する制御手段６とで構成した。また、重量計測手段２９の計測値に応じて複数の運転パターンのいずれか一つの運転パターンにより回転タンク２１を回転駆動するようにした。【特許請求の範囲】
【請求項１】
微生物により排泄物を分解して処理する簡易トイレであって、
本体と、該本体に取り付けられる便座と、上記本体内部に回転自在に取り付けられ開口部を介して微生物を担持した微生物保持体が投入され収容される回転タンクと、該回転タンクを回転駆動する駆動モータと、上記回転タンク内に配置され上記本体に固定された撹拌手段と、少なくとも上記回転タンク内の水分の重量を計測する重量計測手段と、上記駆動モータを制御する制御手段とを備え、上記重量計測手段の計測値に応じて複数の運転パターンのいずれか一つの運転パターンにより上記回転タンクを回転駆動するようにしたことを特徴とする簡易トイレ。
【請求項２】
上記重量計測手段の計測値を表示する表示手段をさらに備えたことを特徴とする請求項１に記載の簡易トイレ。
【請求項３】
上記回転タンク内の水分の通常状態と過多状態と乾燥状態を上記表示手段により識別できるようにしたことを特徴とする請求項２に記載の簡易トイレ。
【請求項４】
上記表示手段が水分過多状態あるいは乾燥状態を示すと警報を発するようにしたことを特徴とする請求項３に記載の簡易トイレ。
【請求項５】
上記重量計測手段の計測値に少なくとも一つの閾値を設定し、該閾値を境に上記回転タンクの運転パターンを切り替えるようにしたことを特徴とする請求項１に記載の簡易トイレ。
【請求項６】
上記複数の運転パターンが第１、第２及び第３の運転パターンを有するとともに、上記重量計測手段の計測値に第１及び第２の閾値を設定し、該第１の閾値を境に上記第１の運転パターンと第２の運転パターンを切り替える一方、上記第２の閾値を境に上記第１の運転パターンと第３の運転パターンを切り替えるようにしたことを特徴とする請求項１に記載の簡易トイレ。
【請求項７】
上記第１の運転パターンは上記回転タンク内の水分が通常状態の運転パターンであり、上記第２の運転パターンは上記回転タンク内の水分が乾燥状態の運転パターンであり、上記第３の運転パターンは上記回転タンク内の水分が過多状態の運転パターンであることを特徴とする請求項６に記載の簡易トイレ。
【請求項８】
上記第１の運転パターンと第２の運転パターンにおいて上記駆動モータをＯＮ／ＯＦＦ運転し、上記駆動モータのＯＦＦ期間を上記第１の運転パターンより上記第２の運転パターンを長く設定したことを特徴とする請求項７に記載の簡易トイレ。
【請求項９】
上記第３の運転パターンに基づくパターン運転時、上記駆動モータを連続運転するようにしたことを特徴とする請求項７に記載の簡易トイレ。
【請求項１０】
上記回転タンクの内部と連通する排気ファンをさらに備え、パターン運転時、上記排気ファンを作動させるようにしたことを特徴とする請求項１乃至９のいずれか１項に記載の簡易トイレ。
【請求項１１】
上記回転タンクの内部に外気を供給する給気ファンをさらに備え、上記第３の運転パターンに基づくパターン運転時、上記給気ファンを作動させるようにしたことを特徴とする請求項７に記載の簡易トイレ。
【請求項１２】
上記便座を開閉する便座蓋をさらに備え、該便座蓋により上記便座を閉じたときにパターン運転を開始するようにしたことを特徴とする請求項１乃至１１のいずれか１項に記載の簡易トイレ。
【請求項１３】
上記回転タンクを加熱するヒータをさらに備えたことを特徴とする請求項１乃至１２のいずれか１項に記載の簡易トイレ。
【発明の詳細な説明】
【技術分野】
【０００１】
本発明は、一般家庭、医療施設等において使用され、微生物により排泄物を分解して処理する簡易トイレに関するものである。
【背景技術】
【０００２】
一般家庭や医療施設における介護用のトイレは、排泄物の処理に手間がかかるという問題や、臭気の処理が容易ではないという問題があり、最近では、微生物連鎖により排泄物を処理するようにした簡易トイレが提案されている。【０００３】
この簡易トイレとして、植物構成体の微粉体及び微生物を収容した処理容器内に撹拌手段を設け、撹拌手段により排泄物と微粉体と微生物とを撹拌し、排泄物を微生物により分解する構成のものがある（例えば、特許文献１参照。）。【０００４】
また、内部に微生物を担持したチップ（微生物保持体）を収容した円筒状の汚物槽と、汚物槽の内部に回転自在に取り付けられた渦巻き状の撹拌羽根とを備えたポータブル便器も提案されており、撹拌羽根により汚物槽の内部に収容されたチップを底部から上方に掻き揚げてチップを撹拌するとともに、投入された汚物を内部に引き込む循環流を発生させるようにしている（例えば、特許文献２参照。）。【０００５】
さらに、有機廃棄物を微生物により分解処理する分解処理装置を備えたトイレとして、分解処理装置の撹拌部に設けられた外側撹拌ブレード及び内側撹拌ブレードにより有機廃棄物をチップとともに回転軸線に沿って内外で相反する方向に巡回搬送しながら有機廃棄物を処理する構成のものもある（例えば、特許文献３参照。）。
【特許文献１】特開平８−２６６４４５号公報（第４頁、第２図）
【特許文献２】特開２０００−３０８５９９号公報（第３−４頁、第１図）
【特許文献３】特開２００１−１２０４６０号公報（第３−４頁、第３図）
【発明の開示】
【発明が解決しようとする課題】
【０００６】
簡易トイレの処理能力は温度、湿度等の周囲の環境条件によって変化する。また、人の排泄物には多量の水分が含まれており、排泄物量にも個人差がある。排泄物は適度な温度、酸素、水分条件が整ってはじめて効率よく分解することができ、特に水分量が排泄物の分解能力に大きく影響する。【０００７】
すなわち、トイレ内に水分が多く、微生物が必要としている酸素の供給が不十分な場合排泄物の分解能力が低下し、逆に水分が不足すると微生物が死滅して、同様に排泄物の分解能力が低下する。【０００８】
しかしながら、上述した従来の簡易トイレは、トイレ内の水分量を管理して水分過多や乾燥状態を未然に防止する機能はなく、排泄物を効率よく分解できるものではなかった。【０００９】
本発明は、従来技術の有するこのような問題点に鑑みてなされたものであり、適度な水分量を維持して排泄物を効率よく分解することができる簡易トイレを提供することを目的としている。
【課題を解決するための手段】
【００１０】
上記目的を達成するため、本発明は、微生物により排泄物を分解して処理する簡易トイレであって、本体と、該本体に取り付けられる便座と、本体内部に回転自在に取り付けられ開口部を介して微生物を担持した微生物保持体が投入され収容される回転タンクと、該回転タンクを回転駆動する駆動モータと、回転タンク内に配置され本体に固定された撹拌手段と、少なくとも回転タンク内の水分の重量を計測する重量計測手段と、駆動モータを制御する制御手段とを備え、重量計測手段の計測値に応じて複数の運転パターンのいずれか一つの運転パターンにより回転タンクを回転駆動するようにしたことを特徴とする。【００１１】
また、重量計測手段の計測値を表示する表示手段をさらに設けるのが好ましい。この場合、回転タンク内の水分の通常状態と過多状態と乾燥状態を表示手段により識別することができる。さらに、表示手段が水分過多状態あるいは乾燥状態を示すと警報を発するようにしてもよい。【００１２】
また、重量計測手段の計測値に少なくとも一つの閾値を設定し、該閾値を境に回転タンクの運転パターンを切り替えるようにするのがよい。【００１３】
好ましくは、複数の運転パターンが第１、第２及び第３の運転パターンを有するとともに、重量計測手段の計測値に第１及び第２の閾値を設定し、第１の閾値を境に第１の運転パターンと第２の運転パターンを切り替える一方、第２の閾値を境に第１の運転パターンと第３の運転パターンを切り替えるのがよい。この場合、第１の運転パターンを回転タンク内の水分が通常状態の運転パターンに、第２の運転パターンを回転タンク内の水分が乾燥状態の運転パターンに、第３の運転パターンを回転タンク内の水分が過多状態の運転パターンに設定することができる。【００１４】
また、第１の運転パターンと第２の運転パターンにおいて駆動モータをＯＮ／ＯＦＦ運転し、駆動モータのＯＦＦ期間を第１の運転パターンより第２の運転パターンを長く設定するのが好ましい。さらに、第３の運転パターンに基づくパターン運転時、駆動モータを連続運転するように設定することもできる。【００１５】
好ましくは、回転タンクの内部と連通する排気ファンをさらに設け、パターン運転時、排気ファンを作動させるのがよい。また、回転タンクの内部に外気を供給する給気ファンをさらに設け、第３の運転パターンに基づくパターン運転時、給気ファンを作動させるのがよい。【００１６】
また、便座を開閉する便座蓋をさらに設け、便座蓋により便座を閉じたときにパターン運転を開始するのが好ましい。【００１７】
さらに、回転タンクを加熱するヒータをさらに設けるのが好ましい。
【発明の効果】
【００１８】
本発明にかかる簡易トイレは、重量計測手段の計測値に応じて複数の運転パターンのいずれか一つの運転パターンにより回転タンクを回転駆動するようにしたので、回転タンク内に適度な水分量を維持して排泄物を効率よく分解することができる。
【図面の簡単な説明】
【００１９】
【図１】図１はある被験者が実際に使用している簡易トイレの総重量と投入されたチップの温度とチップ収容容器の温度の経時変化を示すグラフである。
【図２】図２は本発明にかかる簡易トイレの側面図である。
【図３】図３は図２の簡易トイレの正面図である。
【図４】図４は図２の簡易トイレの背面図である。
【図５】図５は肘掛け及び背もたれを取り外した場合の図２の簡易トイレの平面図である。
【図６Ａ】図６Ａは図５における線ＶＩ−ＶＩに沿った断面図であり、撹拌時を示している。
【図６Ｂ】図６Ｂは図５における線ＶＩ−ＶＩに沿った断面図であり、撹拌停止時を示している。
【図７】図７は図６Ａにおける線ＶＩＩ−ＶＩＩに沿った断面図である。
【図８】図８は図６Ａにおける線ＶＩＩＩ−ＶＩＩＩに沿った断面図である。
【図９】図９は主電源ボックスに設けられたインジケータの説明図である。
【符号の説明】
【００２０】
１  本体、  ２  肘掛け及び背もたれ、  ３  便座蓋、  ４  便座、
５  撹拌制御スイッチ、  ６  コントロールケース、  ７  主電源ボックス、
８  主電源入切スイッチ、  ９  インジケータ、  １０  排気口、
１１  排気ホース、  １２  排気ファン、  １３  便座サポート、
１４  開口部、  １５  固定軸、  １６  固定羽根、  １７  ガイドプレート、
１８  サイドワイパサポート、  １９  サイドワイパ、  ２０  ワイパ、
２１  回転タンク、  ２２  従動側スプロケット、  ２３  ベースプレート、
２４  タンク駆動モータ、  ２５  モータベース、  ２６  駆動側スプロケット、
２７  チェーン、  ２８  ライナ、  ２９  重量計、  ３０  ヒータカバー、
３１  タンクヒータ、  ３２  温度センサ、  ３３  ダクトカバー、
３４  ダクト、  ３５  給気ファン、  ３６  水分補給ノズル、
３７  湿度センサ、  ３８  過負荷ランプ。
【発明を実施するための最良の形態】
【００２１】
図１は、微生物により排泄物を分解して処理するとともに、ある被験者が実際に使用している簡易トイレの総重量と投入されたチップ（微生物保持体）の温度とチップ収容容器（タンク）の温度の経時変化を示すグラフである。【００２２】
図１のグラフから分かるように、トイレの重量が下がるとチップが乾燥状態になり、逆に重量が上がると乾燥状態が解消される。すなわち、トイレの総重量とチップの温度は略反比例しており、トイレの重量が下がればチップの温度が上がり、トイレの重量が下がるとチップの温度が上がる。また、水分を多量に投入すると、チップの温度が急激に下がっていることが理解できる。
本発明はこの知見に基づいてなされたものである。【００２３】
以下、本発明の実施の形態について、図面を参照しながら説明する。
図２乃至図４は本発明にかかる簡易トイレの外観図を示しており、図２は側面図を、図３は正面図を、図４は背面図をそれぞれ示している。図２乃至図４に示されるように、本発明にかかる簡易トイレは、本体１と、本体１の上部に取り付けられた肘掛け及び背もたれ２とを備えている。【００２４】
また、図５は肘掛け及び背もたれ２を取り外した場合の本発明にかかる簡易トイレの平面図を示しており、本体１の上部にはスライド式便座蓋３が取り付けられている。【００２５】
さらに、図６Ａ及び図６Ｂは図５における線ＶＩ−ＶＩに沿った断面図であり、撹拌時及び撹拌停止時をそれぞれ示している。図７及び図８は図６Ａにおける線ＶＩＩ−ＶＩＩ及び線ＶＩＩＩ−ＶＩＩＩにそれぞれ沿った断面図である。【００２６】
図２乃至図８に示されるように、本体１上部には開口部が形成された便座サポート１３が固定されており、開口部１４を有する便座４は便座サポート１３の開口部に取り付けられている。上述したスライド式便座蓋３は便座サポート１３の上面に摺動自在に取り付けられており、便座蓋３を摺動させることにより便座４を開閉することができる。【００２７】
本体１の底面には重量計測手段としての重量計２９が取り付けられており、重量計２９に支承されたベースプレート２３の略中央部には固定軸１５が立設され、上部が開口した回転タンク２１は固定軸１５に回転自在に取り付けられている。固定軸１５は回転タンク２１の底面を貫通しており、回転タンク２１内に投入される微生物を担持したチップ（微生物保持体）、排泄物等が回転タンク２１より漏洩しないように回転タンク２１の固定軸１５貫通部はシールされている。【００２８】
固定軸１５の下端部には、下縁部が回転タンク２１の底面と対向するワイパ２０が所定の角度で取り付けられており、ワイパ２０には斜め上方に延びる固定羽根（撹拌手段）１６が取り付けられている。固定軸１５にはさらに、その中間部より略水平に回転タンク２１の側面に向かって延びるガイドプレート１７が取り付けられ、ガイドプレート１７にはサイドワイパサポート１８を介してサイドワイパ１９が取り付けられており、サイドワイパ１９の外縁部は回転タンク２１の側面と対向している。【００２９】
また、回転タンク２１の外方のベースプレート２３には、モータベース２５を介して例えば約１５Ｗのタンク駆動モータ２４が配設されており、タンク駆動モータ２４の回転軸には駆動側スプロケット２６が取り付けられるとともに、回転タンク２１の底面には従動側スプロケット２２が取り付けられ、従動側スプロケット２２はチェーン２７を介して駆動側スプロケット２６に連結されている。【００３０】
さらに、ベースプレート２３には、回転タンク２１の底面の外縁部と当接する複数（例えば、四つ）のライナ２８が取り付けられており、回転時、回転タンク２１はベースプレート２３から所定の間隔を保持した状態でライナ２８と摺接する。また、回転タンク２１の下方におけるベースプレート２３の上面には、例えば約１５０Ｗのタンクヒータ３１が取り付けられ、タンクヒータ３１の周囲にはヒータカバー３０が取り付けられており、ヒータカバー３０には回転タンク２１の温度を検知する温度センサ３２が取り付けられている。【００３１】
背もたれ２の下方に位置する本体１の上部には、ダクトカバー３３に覆われたダクト３４が配設されており、ダクト３４の先端部には回転タンク２１に近接して給気ファン３５が取り付けられている。また、ダクト３３の排気口１０は、排気ホース１１を介して排気ファン１２に連通しており、図５に示されるように、排気ファン１２は室外に設けるのが好ましい。給気ファン３５及び排気ファン１２としては、例えば０．３３ｍ３／分、１．１５ｍ３／分前後のものがそれぞれ使用される。【００３２】
また、本体１の側壁後部の外面には主電源ボックス７が設けられており、主電源ボックス７には、主電源入切スイッチ８とインジケータ９と過負荷ランプ３８とが設けられている。一方、本体１の側壁後部の内面には撹拌制御スイッチ５が設けられており、撹拌制御スイッチ５は、便座蓋３と係合して便座蓋３の開閉に応じてＯＮ／ＯＦＦする。撹拌制御スイッチ５の反対側に位置する本体１側壁後部の内面にはヒータ用温調器とブザーを内蔵したコントロールケース６が制御手段として設けられている。【００３３】
上記構成の本発明にかかる簡易トイレの操作あるいは作用につき以下説明する。
簡易トイレを使用する前に、回転タンク２１に糖糸状菌、桿菌、球菌、酵母等の微生物を担持したチップ（微生物保持体）がまず投入される。投入量としては、回転タンク２１の内容積の略４５〜７５％程度が好ましい。【００３４】
微生物保持体投入後、必要に応じ簡易トイレは使用できる状態になる。
使用に際し、主電源ボックス７に設けられた主電源入切スイッチ８をＯＮにすると緑色のランプが点灯して電源が入り、タンク駆動モータ２４がＯＮになり、所定のパターン運転を開始する。この所定のパターン運転用プログラムは、コントロールケース６内に設けられた基板により実行され、その詳細については後述する。【００３５】
次に、便座蓋３を後方に摺動させて便座４を開放すると、撹拌制御スイッチ５がＯＦＦとなり、回転タンク２１を回転させるためのタンク駆動モータ２４は停止するので（そのとき回転している場合）、用便が可能となる。【００３６】
用便が済み、便座蓋３を閉じると撹拌制御スイッチ５がＯＮとなり、所定の運転パターンで排泄物の撹拌が行われる。タンク駆動モータ２４が回転を開始すると、回転タンク２１は駆動側スプロケット２６、チェーン２７、従動側スプロケット２２を介してライナ２８と摺接しながら回転し、この回転に伴って、回転タンク２１に投入された排泄物とチップは、ワイパ２０により掻き揚げられるとともに固定羽根１６に沿って上昇しながら撹拌され、回転タンク２１の回転方向における固定羽根１６の下流側端部より落下し、さらに回転タンク２１の回転に伴って、ワイパ２０により再び固定羽根１６上に掻き揚げられる。なお、回転タンク２１の円筒状側壁に付着したチップは、円筒状側壁に対向するサイドワイパ１９により掻き落とされる。また、回転タンク２１の回転速度は、例えば０．５〜６ｒｐｍに設定されており、安全かつ静音である。【００３７】
表１は上述した運転パターンの１例を示している。
（表１）
2006123411.tif 000002
【００３８】
表１において、パターンＩは通常運転の場合の、パターンＩＩは水分乾燥状態の場合の、パターンＩＩＩは水分過多状態の場合の運転パターンをそれぞれ示している。【００３９】
すなわち、通常は運転パターンＩで制御が行われ、使用者が排出した尿が多く回転タンク２１内が水分過多状態になると、自動的に運転パターンＩＩＩに切り替わる。運転パターンＩＩＩの連続運転に切り替わることにより給気ファン３５が作動して回転タンク２１内の水分がより多く蒸発し、水分過多状態が解消される方向に向かう。【００４０】
一方、運転パターンＩによる制御中に水分乾燥状態になると、自動的に運転パターンＩＩに切り替わる。運転パターンＩＩに切り替わると、回転タンク２１の停止時間が長くなり、撹拌時間が短くなるので、乾燥を防ぐ方向に向かう。【００４１】
また、回転タンク２１内の水分の状態が通常に戻ると、通常の運転パターンＩに戻る。【００４２】
このように、危険区域（水分過多状態、乾燥状態）に入ると、自動的に安全区域に戻すように運転パターンが切り替わるように設定されている。【００４３】
図９はインジケータ９を示しており、図９を参照しながら運転パターンにつきさらに詳述する。【００４４】
インジケータ９は１０段階に分割されており、ベースプレート２３に載置された回転タンク２１を含む全重量を測定する重量計２９の測定値に応じて所定の色が点灯するので、回転タンク２１内の水分の状態（通常状態、水分過多状態、乾燥状態）を容易に識別することができる。インジケータ９の表示区分は、重量計２９の測定値が大きい方から１〜４段階を赤色で水分過多区域に、次の５〜８段階を緑色で水分安全区域に、残りの（測定値が小さい）９及び１０段階を黄色で水分乾燥区域にそれぞれ設定されており、例えば測定値が大きい方から第６段階目が標準値に設定される。【００４５】
通常は、運転パターンＩで運転されており、緑色のランプが点灯している。簡易トイレの使用回数が少なく、重量計２９の計測値が第１の閾値（図９では、総重量で１９．７ｋｇ）未満になり回転タンク２１内が乾燥状態になると、運転パターンＩＩに切り替わり、使用者はインジケータ９が黄色に点灯することで乾燥状態を認識して、便座４の開口部１４より水分を補給すればよい。また、図７に示されるように、便座サポート１３の適当な部位に水分補給ノズル３６を取り付けるとともに水分補給ノズル３６をホース（図示せず）を介して給水タンク（図示せず）等の給水源に接続することにより回転タンク２１に自動的に給水することもできる。一方、簡易トイレを使用して重量計２９の計測値が第２の閾値（図９では、総重量で２２．１ｋｇ）以上になり回転タンク２１内が水分過多状態になると、赤色のランプが点灯し、運転パターンＩＩＩに切り替わるので、使用者はインジケータ９により水分過多状態を認識して、使用を控えるようにすればよい。【００４６】
なお、インジケータ９が赤色あるいは黄色に点灯すると、コントロールケース６に内蔵されたブザーが所定の時間（例えば、１０分）毎に所定の時間（例えば、１０秒間）鳴るように設定されている。【００４７】
また、重量計２９としては１００ｇ単位で計測できるものが好ましく、例えばタニタ製ロードセルが使用される。このロードセルは歪計を使用し、歪みを電気的に変換して重量を測定する構成であり、主電源入切スイッチ８がＯＮされると、重量を所定の時間（例えば、２〜３秒）毎に計測してコントロールケース６に出力し、さらに主電源ボックス７のインジケータ９に表示する。なお、簡易トイレを構成する回転タンク２１等は全ての製品で同じ重量ではないことから、コントロールケース６に設けられた重量調整ボリュームにより重量計２９の０点調整を行うことができる。【００４８】
あるいは、水分量の変化によりばねの動きを連動して重量を量ることができるばね秤や、ばね秤を利用して水分量の変化を量ることができる天ビン秤等を使用することもできる。また、重量を量る代わりに、図７に示されるように、便座サポート１３の適当な部位に湿度センサ３７を取り付け、回転タンク２１内の湿度を電気的に測定し、測定した湿度に基づいて回転タンク２１内の状態を決定するようにしてもよい。【００４９】
また、上記構成において、主電源入切スイッチ８をＯＮにすると、タンクヒータ３１はＯＮになり、コントロールケース６に内蔵され温度センサ３２が検知した温度が入力されるヒータ用温調器により３５〜４０℃に設定されて、回転タンク２１内の温度を２５〜３０℃前後に保持する。温度センサ３２が検知した温度が５０℃以上になると、過負荷ランプ３８が赤色に点灯してブザーが鳴るとともに電源がＯＦＦになり、タンク駆動モータ２４、タンクヒータ３１、給気ファン３５、排気ファン１２等の電源が切れるが、インジケータ９は点灯した状態が維持される。この場合、原因を取り除いて復旧し、電源をＯＮにすれば再び起動する。さらに、温度センサ３２に断線等の異常があった場合には、ブザーが連続して鳴るように設定されている。なお、タンクヒータ３１の設定温度はヒータ用温調器により変更可能である。【００５０】
また、回転タンク２１の底部近傍には温度ヒューズ（図示せず）が取り付けられており、この温度ヒューズは温度が７０℃になると全ての電源（インジケータ９を含めて全ての電源）が切れるように設定されている。さらに、タンク駆動モータ２４にも温度ヒューズ（図示せず）が取り付けられており、この温度ヒューズも温度が１００℃になると全ての電源が切れるように設定されている。温度ヒューズの復旧はヒューズの交換により行われる。【００５１】
なお、排気ファン１２は運転パターンＩ〜ＩＩＩのいずれのパターンでも常時連続運転を行い、給気ファン３５は運転パターンＩＩＩにおいてのみ連続運転を行うように設定されているが、これは以下の理由による。【００５２】
すなわち、回転タンク２１内が水分過多状態の場合には、水分を含んだチップを固定羽根１６でかき上げ、分散させたチップの中に少しでも多くの風を送り込み、水分を蒸発させる必要がある。また、排泄物を分解するためには、回転タンク２１内の温度を２５〜３０℃前後に保持する必要がある。回転タンク２１の底面に近接して非接触式タンクヒータ３１を配設するとともにタンクヒータ３１をヒータカバー３０により覆っており、回転タンク２１全体を均一に保温するとともに回転タンク２１内の水分を蒸発させるようにしている。【００５３】
しかしながら、回転タンク２１内の温度を２５〜３０℃前後に保持するだけでは、トイレを使用した場合の水分過多を解消することができない。回転タンク２１内に投入された水分が溜まり、そのまま蒸発しないで回転タンク２１内に残ると、分解菌が死滅して分解処理が不可能となる。給気ファン３５を設けることで、回転タンク２１内に外気を導入することができ、回転タンク２１の底部から水分とともにかき上げられたチップに風を当てることができる。その結果、回転タンク２１内の水分を蒸発させ、チップとの間に空気層を作って酸素量を増加し、微生物の働きを活発にして分解・消滅を促進し、菌が好気性の微生物になり、分解能力が向上する。
【産業上の利用可能性】
【００５４】
本発明にかかる簡易トイレは、適度な水分量を維持して排泄物を効率よく分解することができるので、一般家庭、医療施設等において、例えば介護用トイレとして使用するのに好適である。
【図１】
2006123411.tif 000003
【図２】
2006123411.tif 000004
【図３】
2006123411.tif 000005
【図４】
2006123411.tif 000006
【図５】
2006123411.tif 000007
【図６Ａ】
2006123411.tif 000008
【図６Ｂ】
2006123411.tif 000009
【図７】
2006123411.tif 000010
【図８】
2006123411.tif 000011
【図９】
2006123411.tif 000012
【手続補正書】
【提出日】平成19年11月23日(2007.11.23)
【手続補正１】
【補正対象書類名】特許請求の範囲
【補正対象項目名】全文
【補正方法】変更
【補正の内容】
【特許請求の範囲】
【請求項１】
微生物により排泄物を分解して処理する簡易トイレであって、
本体と、該本体に取り付けられる便座と、上記本体内部に回転自在に取り付けられ開口部を介して微生物を担持した微生物保持体が投入され収容される回転タンクと、該回転タンクを回転駆動する駆動モータと、上記回転タンク内に配置され上記本体に固定された撹拌手段と、少なくとも上記回転タンク内の水分の重量を計測する重量計測手段と、上記駆動モータを制御する制御手段とを備え、上記重量計測手段の計測値に応じて、上記回転タンク内の水分が通常状態の第１の運転パターンと、上記回転タンク内の水分が乾燥状態の第２の運転パターンと、上記回転タンク内の水分が過多状態の第３の運転パターンのいずれか一つの運転パターンにより上記回転タンクを回転駆動するとともに、上記第１の運転パターンと第２の運転パターンにおいて上記駆動モータをＯＮ／ＯＦＦ運転し、上記駆動モータのＯＦＦ期間を上記第１の運転パターンより上記第２の運転パターンを長く設定し、上記第３の運転パターンに基づくパターン運転時、上記駆動モータを連続運転するようにしたことを特徴とする簡易トイレ。
【請求項２】
上記重量計測手段の計測値を表示する表示手段をさらに備えたことを特徴とする請求項１に記載の簡易トイレ。
【請求項３】
上記回転タンク内の水分の通常状態と過多状態と乾燥状態を上記表示手段により識別できるようにしたことを特徴とする請求項２に記載の簡易トイレ。
【請求項４】
上記表示手段が水分過多状態あるいは乾燥状態を示すと警報を発するようにしたことを特徴とする請求項３に記載の簡易トイレ。
【請求項５】
上記回転タンクの内部と連通する排気ファンをさらに備え、パターン運転時、上記排気ファンを作動させるようにしたことを特徴とする請求項１乃至４のいずれか１項に記載の簡易トイレ。
【請求項６】
上記回転タンクの内部に外気を供給する給気ファンをさらに備え、上記第３の運転パターンに基づくパターン運転時、上記給気ファンを作動させるようにしたことを特徴とする請求項１に記載の簡易トイレ。
【請求項７】
上記便座を開閉する便座蓋をさらに備え、該便座蓋により上記便座を閉じたときにパターン運転を開始するようにしたことを特徴とする請求項１乃至６のいずれか１項に記載の簡易トイレ。
【請求項８】
上記回転タンクを加熱するヒータをさらに備えたことを特徴とする請求項１乃至７のいずれか１項に記載の簡易トイレ。
【国際調査報告】
2006123411.tif 000013
2006123411.tif 000014
2006123411.tif 000015
2006123411.tif 000016